(57)【要約】【課題】二次元撮像モードと三次元撮像モードを自動で切り替えるモードを持つ撮像装置において、撮影者の意図に合わせた撮像モードを設定することのできる撮像装置を提供する。【解決手段】二次元撮像モード（２Ｄ）と、三次元撮像モード（３Ｄ）と、二次元撮像モードと三次元撮像モードから最適なものを自動的に選択して設定するオート撮像モード（３Ｄ  ＡＵＴＯ）とを切り替えるためのモード切替ダイヤル２２ｄを有し、このダイヤルをオート撮像モードにセットした状態で、撮像モード強制設定スイッチ２３を押すと、自動設定された撮像モードに関わらず、二次元撮像モードと三次元撮像モードのいずれかが強制的に設定される。【選択図】図５
2011114557.tif 000002
【特許請求の範囲】
【請求項１】
二次元撮像モードと、三次元撮像モードと、前記二次元撮像モードと前記三次元撮像モードから最適なものを自動的に選択して設定するオート撮像モードとを有する撮像装置であって、
前記オート撮像モード時に、前記オート撮像モードで設定された撮像モードに関わらず、前記二次元撮像モードと前記三次元撮像モードのいずれかを強制的に設定する撮像モード強制設定部を備える撮像装置。
【請求項２】
請求項１記載の撮像装置であって、
前記オート撮像モード時に設定されている撮像モードを使用者に通知する撮像モード通知部を備える撮像装置。
【請求項３】
請求項１又は２記載の撮像装置であって、
前記二次元撮像モードと前記三次元撮像モードのいずれかの設定を指示するためのスイッチを備え、
前記撮像モード強制設定部は、前記オート撮像モード時に前記スイッチ操作によって指示された撮像モードを強制的に設定する撮像装置。
【請求項４】
請求項２記載の撮像装置であって、
前記二次元撮像モードと前記三次元撮像モードのいずれかの設定を指示するためのスイッチを備え、
前記撮像モード強制設定部は、前記オート撮像モード時に前記スイッチ操作によって指示された撮像モードを強制的に設定し、
前記スイッチを前記撮像モード通知部と兼用する撮像装置。
【請求項５】
請求項１〜４のいずれか１項記載の撮像装置であって、
被写体に遠近差があるかどうかを判定する遠近差判定部と、
前記被写体内において距離が同一となるエリアを抽出し、前記エリアの前記被写体中に占める割合を算出する演算部とを備え、
前記オート撮像モード時、前記遠近差がないと判定された場合に前記二次元撮像モードを設定し、前記遠近差があると判定され、かつ、前記割合が閾値以上であった場合に前記二次元撮像モードを設定し、前記遠近差があると判定され、かつ、前記割合が閾値未満であった場合に前記三次元撮像モードを設定する撮像装置。
【請求項６】
請求項５記載の撮像装置であって、
前記被写体に顔が存在するかどうかを判定する顔判定部を備え、
前記遠近差がないと判定された場合、又は、前記遠近差があると判定されかつ前記割合が閾値以上であった場合で、かつ、前記顔が存在していると判定された場合には前記三次元撮像モードを設定し、前記遠近差がないと判定された場合、又は、前記遠近差があると判定されかつ前記割合が閾値以上であった場合で、かつ、前記顔が存在していないと判定された場合には前記二次元撮像モードを設定する撮像装置。
【請求項７】
請求項１〜４のいずれか１項記載の撮像装置であって、
被写体に顔が存在するかどうかを判定する顔判定部を備え、
前記オート撮像モード時、前記顔が存在していると判定された場合には前記三次元撮像モードを設定し、前記顔が存在していないと判定された場合には前記二次元撮像モードを設定する撮像装置。
【請求項８】
請求項１〜４のいずれか１項記載の撮像装置であって、
被写体に遠近差があるかどうかを判定する遠近差判定部と、
前記被写体に文字エリアが存在するかどうかを判定する文字エリア判定部とを備え、
前記オート撮像モード時、前記遠近差がないと判定された場合に前記二次元撮像モードを設定し、前記遠近差があると判定され、かつ、前記文字エリアがあると判定された場合に前記二次元撮像モードを設定し、前記遠近差があると判定され、かつ、前記文字エリアがないと判定された場合に前記三次元撮像モードを設定する撮像装置。
【請求項９】
請求項１〜４のいずれか１項記載の撮像装置であって、
前記被写体に文字エリアが存在するかどうかを判定する文字エリア判定部を備え、
前記オート撮像モード時、前記文字エリアがないと判定された場合に前記三次元撮像モードを設定し、前記文字エリアがあると判定された場合に前記二次元撮像モードを設定する撮像装置。
【発明の詳細な説明】
【技術分野】
【０００１】
本発明は、二次元撮像と三次元撮像を切り替え可能な撮像装置に関する。
【背景技術】
【０００２】
立体画像を撮影できる撮像装置が知られている。このような撮像装置は、通常、左右２眼のカメラを備え、同一被写体を左右２眼のカメラで同時に撮影し、右眼カメラで撮影した画像データと、左眼カメラで撮影した画像データとを対応付けて記憶メディアに格納するようになっている。このような撮像装置では、２つのカメラから得られる２つの画像データを対応付けて記録する三次元撮像モードと、２つのカメラのいずれかから得られる画像データを単独で記録する二次元撮像モードとが設定可能となっている（特許文献１〜４参照）。
【０００３】
特許文献１，２には、三次元撮像モードと二次元撮像モードとを自動的に切り替える技術が開示されている。この技術は、被写体が三次元表示に適しているかどうかをカメラが自動的に判断し、三次元表示に適している場合には三次元撮像モードに設定し、三次元表示に適していない場合には二次元撮像モードに設定するものである。特許文献１の撮像装置では、立体視の適、不適を判定するために、被写体距離が近すぎる場合を判定する基準となる第１の所定距離と、被写体距離が遠すぎる場合を判定する基準となる第２の所定距離を設け、被写体距離が第１の所定距離より近い場合と、第２の所定距離よりも遠い場合において、立体視に不適な場合と判定している。
【０００４】
しかし、この方法では、例えば、第２の所定距離にある遠くの建物を背景に第１の所定距離にある近くの立て看板を主要被写体として撮影するような場合には三次元撮像モードが設定されてしまい、撮影者の意図に合った撮像モードの設定ができない。また、スタジオで人物を撮影するときのように、背景が無地で、距離が判断できない場合には、撮影者が意図した撮像モードを設定することができない。
【先行技術文献】
【特許文献】
【０００５】
【特許文献１】特開２００５−１６７３１０号公報
【特許文献２】特開平０８−４７００１号公報
【特許文献３】特開平０８−３１７４２５号公報
【特許文献４】特開平０７−２６４６３３号公報
【発明の概要】
【発明が解決しようとする課題】
【０００６】
本発明は、上記事情に鑑みてなされたものであり、二次元撮像モードと三次元撮像モードを自動で切り替えるモードを持つ撮像装置において、撮影者の意図に合わせた撮像モードを設定することのできる撮像装置を提供することを目的とする。
【課題を解決するための手段】
【０００７】
本発明の撮像装置は、二次元撮像モードと、三次元撮像モードと、前記二次元撮像モードと前記三次元撮像モードから最適なものを自動的に選択して設定するオート撮像モードとを有する撮像装置であって、前記オート撮像モード時に、前記オート撮像モードで設定された撮像モードに関わらず、前記二次元撮像モードと前記三次元撮像モードのいずれかを強制的に設定する撮像モード強制設定部を備える。
【発明の効果】
【０００８】
本発明によれば、二次元撮像モードと三次元撮像モードを自動で切り替えるモードを持つ撮像装置において、撮影者の意図に合わせた撮像モードを設定することのできる撮像装置を提供することができる。
【図面の簡単な説明】
【０００９】
【図１】本発明の一実施形態を説明するための撮像装置の一例であるデジタルカメラの外観図
【図２】図１に示したデジタルカメラの背面図
【図３】図１に示すデジタルカメラの内部構成を示すブロック図
【図４】図３に示した撮像部の内部構成を示した図
【図５】図１に示すデジタルカメラの撮影動作を説明するためのフローチャート
【図６】被写体の一例を示した図
【図７】図１に示したデジタルカメラの内部構成の変形例を示した図
【図８】図７に示したデジタルカメラのオート撮像モード時の撮像モード判定動作を説明するためのフローチャート
【図９】被写体の一例を示した図
【図１０】図１に示したデジタルカメラの内部構成の変形例を示した図
【図１１】図１０に示したデジタルカメラのオート撮像モード時の撮像モード判定動作を説明するためのフローチャート
【図１２】被写体の一例を示した図
【図１３】図１に示したデジタルカメラの内部構成の変形例を示した図
【図１４】図１３に示したデジタルカメラのオート撮像モード時の撮像モード判定動作を説明するためのフローチャート
【発明を実施するための形態】
【００１０】
以下、本発明の実施形態について図面を参照して説明する。この実施形態で説明するデジタルカメラには、二次元撮像モードと、三次元撮像モードと、二次元撮像モードと三次元撮像モードから最適なものを自動的に選択して設定するオート撮像モードとを設けている。そして、オート撮像モード時に、このオート撮像モードで自動設定された撮像モードに関わらず、二次元撮像モードと三次元撮像モードのいずれかを使用者が強制的に設定できるようにしたことを特徴としている。以下、具体的に説明する。
【００１１】
図１は、本発明の一実施形態を説明するための撮像装置の一例であるデジタルカメラの外観図である。図１に示したデジタルカメラ１００は、箱状のハウジングＫと、ハウジングＫの前面に水平方向に距離を空けて設けられた右眼用の撮像部ＳＲ及び左眼用の撮像部ＳＬと、ハウジングＫの上面に設けられた電源ボタン２２ａ及びレリーズボタン２２ｂとを備える。撮像部ＳＲは前部に撮影レンズ１０Ｒを備え、撮像部ＳＬは前部に撮影レンズ１０Ｌを備える。撮影レンズ１０Ｒの光軸Ｒと、撮影レンズ１０Ｌの光軸Ｌとが交差する角度を輻輳角といい、輻輳角が所定値となるように、撮影レンズ１０Ｒと撮影レンズ１０Ｌの位置が設定されている。
【００１２】
図２は、図１に示したデジタルカメラの背面図である。デジタルカメラ１００のハウジングＫの背面には、十字キー２２ｃと、モード切替ダイヤル２２ｄと、表示部３８と、撮像モード強制設定スイッチ２３とが設けられている。
【００１３】
十字キー２２ｃは、デジタルカメラのメニュー切替作業や決定作業等の各種操作を行うためのインターフェースである。
【００１４】
モード切替ダイヤル２２ｄは、デジタルカメラ１００の撮像モードを、二次元撮像モード（２Ｄ）と、三次元撮像モード（３Ｄ）と、オート撮像モード（３Ｄ  ＡＵＴＯ）のいずれかにセットするためのインターフェースである。
【００１５】
ここで、三次元撮像モードとは、撮像部ＳＲ，ＳＬの両方を用いて被写体を撮像し、撮像部ＳＲの撮像で得られた撮像信号から生成された画像データと、撮像部ＳＬの撮像で得られた撮像信号から生成された画像データとを関連付けて、例えばカメラ映像機器工業会（ＣＩＰＡ）の規格であるＭＰＯ形式で記録媒体に格納するモードをいう。
【００１６】
二次元撮像モードとは、撮像部ＳＲ，ＳＬのどちらか一方、例えば撮像部ＳＬだけを用いて被写体を撮像し、その撮像によって得られる撮像信号から生成した画像データを記録媒体に格納するモードをいう。
【００１７】
オート撮像モードとは、二次元撮像モードと三次元撮像モードのどちらが最適かを被写体に基づいて判断し、最適と判断した撮像モードを自動的に設定するモードをいう。
【００１８】
撮像モード強制設定スイッチ２３は、二次元撮像モードの設定指示を行うためのボタンであって、図中に“２Ｄ”を記した２Ｄボタンと、三次元撮像モードの設定指示を行うためのボタンであって、図中に“３Ｄ”を記した３Ｄボタンとから構成されている。これらのボタンは、オート撮像モード時にのみ有効となり、いずれかを指等で押下することで、そのボタンに対応する撮像モードの設定指示を行うことができるようになっている。
【００１９】
２Ｄボタンと３Ｄボタンは、それぞれＬＥＤ等の発光素子を内蔵しており、オート撮像モード時にデジタルカメラ１００が設定中の撮像モード（自動で設定したモード、撮像モード強制設定スイッチ２３で強制的に設定したモードの双方を含む）に対応する発光素子が光るようになっている。例えば、設定中の撮像モードが二次元撮像モードのときは、２Ｄボタンの発光素子が発光し、設定中の撮像モードが三次元撮像モードのときは、３Ｄボタンの発光素子が光るようになっている。
【００２０】
つまり、オート撮像モードを設定した初期状態では、デジタルカメラ１００が自動で設定した撮像モードに対応するボタンが光り、その後、撮像モード強制設定スイッチ２３を操作した場合には、その操作に対応して、押下された側のボタンが光ることになる。このように、撮像モード強制設定スイッチ２３は、デジタルカメラ１００で設定中の撮像モードがどのモードであるかを、使用者に視覚的に通知するための通知手段としても機能する。
【００２１】
表示部３８は、撮像部ＳＲ，ＳＬによって撮像して得られた画像データを表示したり、各種操作を行うためのメニュー画面等を表示したりするものである。
【００２２】
図３は、図１に示すデジタルカメラの内部構成を示すブロック図である。図３に示すように、デジタルカメラ１００は、撮像部１と、ＣＰＵ（中央演算処理装置）２１と、操作部２２と、撮像モード強制設定スイッチ２３と、２Ｄ／３Ｄ切替判定部２５と、遠近判定部２６と、画像合成処理部２９と、デジタル信号処理部３１と、圧縮伸張処理部３２と、メインメモリ３４と、メインメモリ３４のデータ読み書き制御を行うメモリ制御部３０と、デジタルカメラ１００に着脱自在の記録媒体３６のデータ読み書き制御を行う外部メモリ制御部３５と、液晶表示部等の表示部３８の表示制御を行う表示制御部３７とを備える。２Ｄ／３Ｄ切替判定部２５と、遠近判定部２６と、画像合成処理部２９と、メモリ制御部３０と、デジタル信号処理部３１と、圧縮伸張処理部３２と、メインメモリ３４と、外部メモリ制御部３５と、表示制御部３７と、ＣＰＵ２１は、制御バス４１及びデータバス４２によって相互に接続される。
【００２３】
図４は、図３に示した撮像部の内部構成を示した図である。撮像部１は、撮像部ＳＲと、撮像部ＳＬと、レンズ駆動部１６と、絞り駆動部１７と、シャッタ駆動部１８と、撮像素子駆動部１９と、制御部２０とを備える。
【００２４】
撮像部ＳＲは、撮影レンズ１０Ｒと、絞り１１Ｒと、メカニカルシャッタ１２Ｒと、ＣＣＤ型イメージセンサ、ＭＯＳ型イメージセンサ等の固体撮像素子１３Ｒ（図ではＣＣＤ型を例示）と、アナログ信号処理部１４Ｒと、ＡＤ変換部１５Ｒとを備える。
【００２５】
撮影レンズ１０Ｒ、絞り１１Ｒ、メカニカルシャッタ１２Ｒはこの順に配置され、被写体からの光を固体撮像素子１３Ｒの受光面に集光する。アナログ信号処理部１４Ｒは、固体撮像素子１３Ｒから出力された撮像信号に相関二重サンプリング処理、増幅処理等のアナログ信号処理を施す。ＡＤ変換部１５Ｒは、アナログ信号処理部１４Ｒで処理後の撮像信号をデジタル信号に変換して制御部２０に出力する。
【００２６】
撮像部ＳＬは、撮影レンズ１０Ｌと、絞り１１Ｌと、メカニカルシャッタ１２Ｌと、ＣＣＤ型イメージセンサ、ＭＯＳ型イメージセンサ等の固体撮像素子１３Ｌ（図ではＣＣＤ型を例示）と、アナログ信号処理部１４Ｌと、ＡＤ変換部１５Ｌとを備える。
【００２７】
撮影レンズ１０Ｌ、絞り１１Ｌ、メカニカルシャッタ１２Ｌはこの順に配置され、被写体からの光を固体撮像素子１３Ｌの受光面に集光する。アナログ信号処理部１４Ｌは、固体撮像素子１３Ｌから出力された撮像信号に相関二重サンプリング処理、増幅処理等のアナログ信号処理を施す。ＡＤ変換部１５Ｌは、アナログ信号処理部１４Ｌで処理後の撮像信号をデジタル信号に変換して制御部２０に出力する。
【００２８】
レンズ駆動部１６は、撮影レンズ１０Ｒ，１０Ｌの位置をズーム位置、合焦位置に移動させる。絞り駆動部１７は、絞り１１Ｒ，１１Ｌの絞り量を調節する。シャッタ駆動部１８は、メカニカルシャッタ１２Ｒ，１２Ｌの開閉制御を行う。撮像素子駆動部１９は、固体撮像素子１３Ｒ，１３Ｌを駆動して撮像を行い、固体撮像素子１３Ｒ，１３Ｌから撮像信号を出力させる。
【００２９】
制御部２０は、撮像部１全体を統括制御するものであり、ＣＰＵ２１から指示された撮像モードで撮像を行うよう、レンズ駆動部１６、絞り駆動部１７、シャッタ駆動部１８、及び撮像素子駆動部１９を制御する。また、制御部２０は、ＡＤ変換部１５Ｒ，１５Ｌからそれぞれ出力された撮像信号を、メモリ制御部３０を介してメインメモリ３４に記憶する。
【００３０】
図３に戻り、操作部２２は、図１及び図２に示した、電源ボタン２２ａ、レリーズボタン２２ｂ、十字キー２２ｃ、モード切替ダイヤル２２ｄを含むインターフェースである。
【００３１】
デジタル信号処理部３１は、固体撮像素子１３Ｒ（１３Ｌ）から出力され、ＡＤ変換部１５Ｒ（１５Ｌ）でデジタル変換された撮像信号に対し、１サンプリングポイントに対して３つの色画素データを持たせる同時化処理、γ補正処理、ホワイトバランス補正処理、ＹＣ変換処理等のデジタル信号処理を施して、画像データを生成する。
【００３２】
圧縮伸張処理部３２は、デジタル信号処理部３１で生成された画像データを圧縮したり、記録媒体３６から読み出された圧縮画像データを伸張したりする。
【００３３】
圧縮伸張処理部３２で圧縮された画像データは、ＣＰＵ２１の制御により、外部メモリ制御部３５を介して記録媒体３６に記録される。三次元撮像モード時において、固体撮像素子１３Ｒから得られた画像データと、固体撮像素子１３Ｌから得られた画像データについては、これらの２つの画像データがＭＰＯ形式で記録媒体３６に記録される。
【００３４】
画像合成処理部２９は、記録媒体３６に記録されているＭＰＯ形式の画像データを表示部３８にて再生する際に、ＭＰＯ形式の画像データを合成処理して三次元画像データを生成する。三次元画像データは、ＣＰＵ２１の制御により、表示制御部３７を介して表示部３８に立体表示される。
【００３５】
遠近判定部２６は、オート撮像モードが設定されたときに、撮像部ＳＲ及び撮像部ＳＬで被写体を撮像して得られる２つの画像データを用いて、現在撮影中の被写体に遠近差があるか否かを判定する。
【００３６】
例えば、遠近判定部２６は、ステレオマッチング法により、撮影した被写体における遠近差の有無を判定する。ここで、ステレオマッチング法とは、撮像部ＳＲ，ＳＬで同時に撮像を行い、撮像部ＳＲで撮像して得られた画像データ中の任意の点が、他方の撮像部ＳＬで撮像して得られた画像データではどこにあるかを検出し、そのズレの量から被写体中の各点の距離を、三角測量を用いて調べる方法である。
【００３７】
また、遠近差とは、撮影した被写体の任意の点の距離と、それ以外の点の距離との差のことをいう。遠近判定部２６は、例えば、撮影した被写体の任意の点の距離と、それ以外の点の距離とを順次比較していき、遠近差が閾値以上になる点が存在した時点で、遠近差があると判定し、遠近差が閾値以上になる点が存在しないときは、遠近差がないと判定する。
【００３８】
２Ｄ／３Ｄ切替判定部２５は、遠近判定部２６において遠近差が有ると判定されたときには、現在撮影中の被写体に対しては三次元撮像モードが最適であると判定し、遠近判定部２６において遠近差が無いと判定されたときには、現在撮影中の被写体に対しては二次元撮像モードが最適であると判定する。なお、どちらの撮像モードが最適かの判定は、遠近差の有無に関わらず、特許文献１、２に記載されたような公知の方法を採用すればよい。
【００３９】
ＣＰＵ２１は、モード切替ダイヤル２２ｄの状態と、２Ｄ／３Ｄ切替判定部２５の判定結果と、撮像モード強制設定スイッチ２３の状態とにしたがって、二次元撮像モードと三次元撮像モードのいずれかで動作するよう、各部を制御する。
【００４０】
例えば、ＣＰＵ２１は、モード切替ダイヤル２２ｄが“２Ｄ”にセットされたときには、二次元撮像モードで撮像を行うように制御部２０に指示し、撮像モード強制設定スイッチ２３の“２Ｄボタン”を点灯させる。この指示により、デジタルカメラ１００は二次元撮像モード待機状態となる。この待機状態では、撮像部ＳＲと撮像部ＳＬのいずれかで撮像が開始され、その撮像によって得られる画像データに基づく画像がスルー画像として表示部３８に表示される。
【００４１】
ＣＰＵ２１は、モード切替ダイヤル２２ｄが“３Ｄ”にセットされたときには、三次元撮像モードで撮像を行うように制御部２０に指示し、撮像モード強制設定スイッチ２３の“３Ｄボタン”を点灯させる。この指示により、デジタルカメラ１００は三次元撮像モード待機状態となる。この待機状態では、撮像部ＳＲと撮像部ＳＬの両方で同時に撮像が開始され、その撮像によって得られる２つの画像データを合成して生成された立体画像がスルー画像として表示部３８に表示される。
【００４２】
ＣＰＵ２１は、モード切替ダイヤル２２ｄが“３Ｄ  ＡＵＴＯ”にセットされたときには、まず三次元撮像モードで撮像を行うように制御部２０に指示する。この指示により、撮像部ＳＲと撮像部ＳＬの両方で同時に撮像が開始され、その撮像によって得られる２つの画像データにしたがって２Ｄ／３Ｄ切替判定部２５により最適な撮像モードが判定される。
【００４３】
２Ｄ／３Ｄ切替判定部２５で最適と判定された撮像モードが二次元撮像モードであったとき、ＣＰＵ２１は、二次元撮像モードで撮像を行うように制御部２０に指示し、撮像モード強制設定スイッチ２３の“２Ｄボタン”を点灯させる。この指示により、デジタルカメラ１００は二次元撮像モード待機状態となる。一方、２Ｄ／３Ｄ切替判定部２５で最適と判定された撮像モードが三次元撮像モードであったとき、ＣＰＵ２１は、三次元撮像モードで撮像を行うように制御部２０に指示し、撮像モード強制設定スイッチ２３の“３Ｄボタン”を点灯させる。この指示により、デジタルカメラ１００は三次元撮像モード待機状態となる。
【００４４】
モード切替ダイヤル２２ｄが“３Ｄ  ＡＵＴＯ”にセットされた状態で、撮像モード強制設定スイッチ２３の“２Ｄボタン”が押下されたとき、ＣＰＵ２１は、二次元撮像モードで撮像を行うように制御部２０に指示し、撮像モード強制設定スイッチ２３の“２Ｄボタン”を点灯させる。この指示により、デジタルカメラ１００は二次元撮像モード待機状態となる。モード切替ダイヤル２２ｄが“３Ｄ  ＡＵＴＯ”にセットされた状態で、撮像モード強制設定スイッチ２３の“３Ｄボタン”が押下されたときには、ＣＰＵ２１は、三次元撮像モードで撮像を行うように制御部２０に指示し、撮像モード強制設定スイッチ２３の“３Ｄボタン”を点灯させる。この指示により、デジタルカメラ１００は三次元撮像モード待機状態となる。
【００４５】
次に、デジタルカメラ１００の動作について説明する。
【００４６】
図５は、図１に示すデジタルカメラの撮影動作を説明するためのフローチャートである。デジタルカメラ１００の電源ボタン２２ａがオンされた後、撮影モードが設定されると、ＣＰＵ２１がモード切替ダイヤル２２ｄの状態を検出する（ステップＳ５１）。
【００４７】
ステップＳ５１の検出の結果、モード切替ダイヤル２２ｄがオート撮像モードにセットされていた場合（分岐：ＡＵＴＯ）には、デジタルカメラ１００が三次元撮像モードで動作開始し、ステップＳ５２の処理が実施される。一方、オート撮像モード以外のモードがセットされていた場合（分岐：２Ｄ／３Ｄ）には、ステップＳ６０の処理が実施される。
【００４８】
ステップＳ５２では、撮像部ＳＲ，ＳＬで撮像して得られる画像データに基づいて、２Ｄ／３Ｄ切替判定部２５が最適な撮像モードを判定する。一方、ステップＳ６０では、ＣＰＵ２１がモード切替ダイヤル２２ｄの状態を検出し、二次元撮像モードと三次元撮像モードのどちらがセットされているかを判定する。
【００４９】
ステップＳ５２において三次元撮像モードが最適であると判定された場合（分岐：３Ｄ）、及び、ステップＳ６０において三次元撮像モードがセットされていると判定された場合（分岐：３Ｄ）には、ＣＰＵ２１が、三次元撮像モードで動作するよう各部を制御し、デジタルカメラ１００は三次元撮像待機状態となる（ステップＳ５３）。三次元撮像待機状態とは、スルー画像表示用の撮像を継続して実施して、撮影指示を待機している状態をいう。ステップＳ５３の後、ＣＰＵ２１は、撮像モード強制設定スイッチ２３の“３Ｄボタン”を点灯させる（ステップＳ５４）。
【００５０】
ステップＳ５２において二次元撮像モードが最適であると判定された場合（分岐：２Ｄ）、及び、ステップＳ６０において二次元撮像モードがセットされていると判定された場合（分岐：２Ｄ）には、ＣＰＵ２１が、二次元撮像モードで動作するよう各部を制御し、デジタルカメラ１００は二次元撮像待機状態となる（ステップＳ６１）。二次元撮像待機状態とは、スルー画像表示用の撮像を継続して実施して、撮影指示を待機している状態をいう。ステップＳ６１の後、ＣＰＵ２１は、撮像モード強制設定スイッチ２３の“２Ｄボタン”を点灯させる（ステップＳ６２）。
【００５１】
ＣＰＵ２１は、三次元撮像待機状態において“２Ｄボタン”が押下されると（ステップＳ５５：ＯＮ）、ステップＳ５６の処理を実施し、“２Ｄボタン”が押下されない場合（ステップＳ５５：ＯＦＦ）は待機状態を継続する。
【００５２】
ステップＳ５６では、ＣＰＵ２１が、モード切替ダイヤル２２ｄが“３Ｄ  ＡＵＴＯ”にセットされているか否かを判定する。ステップＳ５６においてモード切替ダイヤル２２ｄが“３Ｄ  ＡＵＴＯ”にセットされていた場合（分岐：ＹＥＳ）、ＣＰＵ２１は“２Ｄボタン”押下の操作を有効とし、ステップＳ６１に処理を移行する。ステップＳ５６においてモード切替ダイヤル２２ｄが“３Ｄ  ＡＵＴＯ”にセットされていなかった場合（分岐：ＮＯ）、ＣＰＵ２１は、“２Ｄボタン”押下の操作を無効とし、待機状態を継続する。
【００５３】
ＣＰＵ２１は、二次元撮像待機状態において“３Ｄボタン”が押下されると（ステップＳ６３：ＯＮ）、ステップＳ６４の処理を実施し、“３Ｄボタン”が押下されない場合（ステップＳ６３：ＯＦＦ）は待機状態を継続する。
【００５４】
ステップＳ６４では、ＣＰＵ２１が、モード切替ダイヤル２２ｄが“３Ｄ  ＡＵＴＯ”にセットされているか否かを判定する。ステップＳ６４においてモード切替ダイヤル２２ｄが“３Ｄ  ＡＵＴＯ”にセットされていた場合（分岐：ＹＥＳ）、ＣＰＵ２１は、“３Ｄボタン”押下の操作を有効とし、ステップＳ５３に処理を移行する。ステップＳ６４においてモード切替ダイヤル２２ｄが“３Ｄ  ＡＵＴＯ”にセットされていなかった場合（分岐：ＮＯ）、ＣＰＵ２１は、“３Ｄボタン”押下の操作を無効とし、待機状態を継続する。
【００５５】
二次元撮像待機状態及び三次元撮像待機状態においてレリーズボタン２２ｂが半押しされると、ＣＰＵ２１は撮像部ＳＲ，ＳＬによりＡＥ（自動露出）・ＡＦ（自動焦点調節）用の撮像を実施し、この撮像により得られる画像データに基づいてＡＥ・ＡＦ処理を実施し（ステップＳ５７）、撮像条件を設定する。
【００５６】
続いてレリーズボタン２２ｂが全押しされると、ＣＰＵ２１は、設定した撮像条件で二次元撮像又は三次元撮像を実施する（ステップＳ５８）。
【００５７】
撮像終了後、電源ボタン２２ａが押下された場合（ステップＳ５９：ＹＥＳ）、ＣＰＵ２１は電源オフ処理を実施し、動作を終了する。ステップＳ５９：ＮＯの場合は、ステップＳ５１に処理を戻す。
【００５８】
以上のように、このデジタルカメラ１００によれば、オート撮像モードによってデジタルカメラ１００が自動で最適な撮像モードを設定した場合でも、ユーザの判断により、撮像モードを他の撮像モードに強制的に設定することができる。このため、ユーザの意図に合った撮像モードを設定することができ、違和感のない良好な画像を得ることが可能になる。また、レリーズボタン２２ｂを全押しして撮像を終了した後は、再び撮像モードが自動で設定される。このため、デジタルカメラ任せで撮像モードを自動設定し、意図に合わないときにだけ撮像モードを強制設定するといった使い方が可能になり、使い勝手を向上させることができる。
【００５９】
なお、図２の例では、撮像モード強制設定スイッチ２３を２つのボタンで構成したが、これに限らない。例えば、１つのボタンを設け、オート撮像モードで自動設定された撮像モードが二次元撮像モード（三次元撮像モード）のときに、このボタンを押下して、撮像モードを三次元撮像モード（二次元撮像モード）に強制設定できるようにしてもよい。この場合には、オート撮像モードで自動設定された撮像モードが何であるかをユーザが知る必要があるため、その旨を表示部３８に表示させておけばよい。
【００６０】
また、図２の例では、撮像モード強制設定スイッチ２３を、オート撮像モードで自動設定された撮像モードが何であるかをユーザに通知する通知部として兼用しているが、この通知部は撮像モード強制設定スイッチ２３と別に設けておいてもよい。表示部３８に現在設定中の撮像モードを表示させることで通知を行ってもよいし、ハウジングＫに二次元撮像モードを示すランプと三次元撮像モードを示すランプを設け、設定中の撮像モード側のランプを点灯させることで通知を行ってもよい。
【００６１】
次に、図１に示したデジタルカメラ１００の変形例について説明する。
【００６２】
（第一の変形例）
この変形例では、図５に示したステップＳ５２の処理における最適な撮像モードの判定方法が図１に示したデジタルカメラ１００とは異なる。この変形例では、被写体に遠近差はあるが、一定以上の大きさの平面物が該被写体に含まれる場合に、ユーザが該平面物の撮影を意図していると判断し、二次元撮像モードを設定するものとしている。
【００６３】
例えば、図６に示すように、駅のプラットフォームを背景に、電光掲示板６０を主要被写体として撮影を行う場合を想定する。この場合、遠近差の小さい平面物である電光掲示板６０の画面全体に占める割合は大きい。このため、画面の多くの領域で遠近差が無い状態となり、三次元撮像には適さない。そこで、このような場合には、遠近差があっても、二次元撮像モードで撮像を行うことで、最適な画質を得られるようにしている。以下、このような判定方法を実現するデジタルカメラの構成及び動作について説明する。
【００６４】
図７は、図１に示したデジタルカメラの内部構成の変形例を示した図である。図７に示したデジタルカメラは、演算部３３を追加した点が図３に示した構成とは異なっている。
【００６５】
演算部３３は、遠近判定部２６で算出された、被写体の各点の距離に基づき、デジタルカメラからの距離がほぼ均一となっている点が連続して存在しているエリア（以下、平面エリアという）を抽出する。そして、抽出した平面エリアの被写体全体に占める割合を算出する。
【００６６】
図７に示したデジタルカメラにおける２Ｄ／３Ｄ切替判定部２５は、遠近判定部２６の判定結果と演算部３３で算出された割合とに応じて二次元撮像モードか三次元撮像モードのどちらが最適かを判定する。以下、図７に示したデジタルカメラのオート撮像モード時における撮像モード判定動作を説明する。撮像モード判定以外の処理、即ち、図５に示したステップＳ５２以外の処理は、図１に示したデジタルカメラ１００と同じである。
【００６７】
図８は、図７に示したデジタルカメラのオート撮像モード時の撮像モード判定動作を説明するためのフローチャートである。判定動作を開始すると、遠近差判定部２６が、被写体に遠近差があるかどうかを判定する（ステップＳ８１）。遠近差がないと判定された場合（ステップＳ８１：ＮＯ）、２Ｄ／３Ｄ切替判定部２５は、二次元撮像モードが最適であると判定して（ステップＳ８５）、判定動作を終了する。
【００６８】
被写体に遠近差があると判定された場合（ステップＳ８１：ＹＥＳ）は、演算部３３が、被写体から平面エリアを抽出し、この平面エリアの被写体全体に占める割合を算出する（ステップＳ８２）。
【００６９】
２Ｄ／３Ｄ切替判定部２５は、ステップＳ８２で算出された割合を取得し、該割合が（１／３）以上となる平面エリアがあるかどうかを判定する（ステップＳ８３）。ステップＳ８３の判定がＹＥＳの場合、２Ｄ／３Ｄ切替判定部２５は、二次元撮像モードが最適であると判定して（ステップＳ８５）、判定動作を終了する。
【００７０】
ステップＳ８３の判定がＮＯの場合、２Ｄ／３Ｄ切替判定部２５は、三次元撮像モードが最適であると判定して（ステップＳ８４）、判定動作を終了する。
【００７１】
以上のように、遠近差がある画像データであっても、デジタルカメラからの距離が均一となっている平面エリアが被写体の多くを占めている場合には、二次元撮像モードを設定することで、最適な画質を得ることができる。
【００７２】
（第二の変形例）
第一の変形例で説明した判定方法では、図９に示したスタジオ撮影での例のように、単調な平面である背景９１をバックに人物９０を撮影するような場合にも、背景９１が平面エリアと判断されて、二次元撮像モードが設定されてしまう。また、遠近差の有無だけで撮像モードの判定を行う場合でも、図９に示した例では、背景９１が単調な平面であるため、遠近差の有無を判定できなくなり、二次元撮像モードが設定されてしまう。そこで、第二の変形例では、図９に示したような被写体であっても、最適な撮像モードを設定できるようにしている。
【００７３】
図１０は、図１に示したデジタルカメラの内部構成の変形例を示した図である。図１０に示したデジタルカメラは、顔判定部２８を追加した点が図７に示した構成とは異なっている。
【００７４】
顔判定部２８は、撮影した被写体中に顔（人物の顔、ペットの顔等）が含まれるか否かを判定し、判定結果を２Ｄ／３Ｄ切替判定部２５に通知する。
【００７５】
図１０に示したデジタルカメラにおける２Ｄ／３Ｄ切替判定部２５は、遠近判定部２６の判定結果と顔判定部２８の判定結果とに応じて二次元撮像モードか三次元撮像モードのどちらが最適かを判定する。
【００７６】
図１１は、図１０に示したデジタルカメラのオート撮像モード時の撮像モード判定動作を説明するためのフローチャートである。図１１において図８と同じ処理には同一符号を付してある。
【００７７】
ステップＳ８３の判定がＹＥＳであった場合、顔判定部２８が、撮影した２つの画像データに対して顔認識処理を実施し、撮影した被写体に顔が含まれるか否かを判定する（ステップＳ１１１）。ステップＳ１１１の判定結果がＹＥＳの場合、２Ｄ／３Ｄ切替判定部２５は、三次元撮像モードが最適であると判定して（ステップＳ８４）、判定動作を終了する。
【００７８】
ステップＳ１１１の判定がＮＯであった場合、２Ｄ／３Ｄ切替判定部２５は、二次元撮像モードが最適であると判定して（ステップＳ８５）、判定動作を終了する。
【００７９】
このように、遠近差がない場合、又は、遠近差がありかつ平面エリアの割合が多い場合でも、被写体に顔があるかないかによって最適な撮像モードを設定することで、図９に示したような被写体であっても、立体撮像することが可能になる。
【００８０】
なお、この変形例では、遠近差の有無と、平面エリアの大きさと、顔の有無とによって最適な撮像モードを設定するものとしたが、顔の有無だけで最適な撮像モードを設定することも可能である。この場合には、図１１に示したフローチャートにおいて、ステップＳ８１、Ｓ８２、Ｓ８３を削除し、ＡＵＴＯ判定開始後にステップＳ１１１を実施し、ステップＳ１１１：ＹＥＳのときはステップＳ８４の処理を実施し、ステップＳ１１１：ＮＯのときはステップＳ８５の処理を実施して、判定動作を終了すればよい。
【００８１】
また、単に顔の有無だけでなく、顔の位置、顔の大きさ、顔の数によって判定を行ってもよい。
【００８２】
顔の位置を判定基準とする場合は、例えば、ステップＳ１１１において、顔があると判定し、かつ、その顔が被写体の中央位置にある場合には、ステップＳ８４に移行し、その顔が被写体の中央位置にない場合には、ステップＳ８５に移行するようにすればよい。
【００８３】
顔の大きさを判定基準とする場合は、例えば、ステップＳ１１１において、顔があると判定し、かつ、その顔の大きさが所定値以上の場合には、ステップＳ８４に移行し、その顔の大きさが所定値未満の場合には、ステップＳ８５に移行するようにすればよい。
【００８４】
顔の数を判定基準とする場合は、例えば、ステップＳ１１１において、顔があると判定し、かつ、その顔が複数ある場合には、ステップＳ８４に移行し、その顔が１つの場合には、ステップＳ８５に移行するようにすればよい。
【００８５】
また、顔の位置、顔の大きさ、顔の数を組み合わせて判定を行ってもよい。このようにすることで、人物を撮影するときでも、その状況に応じて最適なモードで撮像を行うことができる。
【００８６】
（第三の変形例）
この変形例では、図５に示したステップＳ５２の処理における最適な撮像モードの判定方法が図１に示したデジタルカメラ１００とは異なる。この変形例では、被写体に遠近差はあるが、被写体に文字エリアが存在する場合に、ユーザが文字の撮影を意図していると判断し、二次元撮像モードを設定するものとしている。
【００８７】
例えば、図１２に示すように、街中に設置された文字８０が記載された案内板８１を主要被写体として撮影を行う場合を想定する。この場合、案内板８１を主として撮影したいため、三次元撮像には適さない。しかし、背景と案内板８１には遠近差があるため、遠近差の有無だけで撮像モードを判定すると、三次元撮像モードが設定されてしまう。そこで、このような場合には、遠近差があっても、二次元撮像モードで撮像を行うことで、ユーザの意図に合った撮像モードを設定できるようにしている。以下、このような判定方法を実現するデジタルカメラの構成及び動作について説明する。
【００８８】
図１３は、図１に示したデジタルカメラの内部構成の変形例を示した図である。図１３に示したデジタルカメラは、文字エリア判定部２７を追加した点が図３に示した構成とは異なっている。
【００８９】
文字エリア判定部２７は、撮影した被写体に文字エリアが含まれるか否かを判定し、判定結果を２Ｄ／３Ｄ切替判定部２５に通知する。文字エリアとは、一定値以内の間隔を空けて並ぶ所定個以上の文字が存在するエリアのことをいう。
【００９０】
図１３に示したデジタルカメラにおける２Ｄ／３Ｄ切替判定部２５は、遠近判定部２６の判定結果と文字エリア判定部２７の判定結果とに応じて二次元撮像モードか三次元撮像モードのどちらが最適かを判定する。
【００９１】
以下、図１３に示したデジタルカメラのオート撮像モード時における撮像モード判定動作を説明する。撮像モード判定以外の処理、即ち、図５に示したステップＳ５２以外の処理は、図１に示したデジタルカメラ１００と同じである。
【００９２】
図１４は、図１３に示したデジタルカメラのオート撮像モード時の撮像モード判定動作を説明するためのフローチャートである。
【００９３】
判定動作を開始すると、遠近差判定部２６が、被写体に遠近差があるかどうかを判定する（ステップＳ１４１）。遠近差がないと判定された場合（ステップＳ１４１：ＮＯ）、２Ｄ／３Ｄ切替判定部２５は、二次元撮像モードが最適であると判定して（ステップＳ１５０）、判定動作を終了する。
【００９４】
被写体に遠近差があると判定された場合（ステップＳ１４１：ＹＥＳ）、文字エリア判定部２７が、被写体に文字エリアがあるか否かの判定を開始する。この判定処理は次のとおりである。
【００９５】
まず、撮像して得た２つの画像データのいずれかを判定対象とする（ステップＳ１４２）。次に、文字数カウントを初期値であるゼロに設定する（ステップＳ１４３）。次に、判定対象とした画像データをブロック分割し、１つのブロックについて文字認識を実施する。
【００９６】
文字を認識した場合（ステップＳ１４４：ＹＥＳ）、文字エリア判定部２７は、認識した文字のうち、一定値以下の間隔で隣接しているものがあるかどうかを判定する（ステップＳ１４５）。文字を認識しなかった場合（ステップＳ１４４：ＮＯ）、文字エリア判定部２７は、ステップＳ１４２に処理を移行し、文字認識対象となるブロックを次のブロックに変更して、ステップＳ１４３以降の処理を実施する。
【００９７】
ステップＳ１４５：ＹＥＳのとき、文字エリア判定部２７は、その隣接している文字の数をカウントする（ステップＳ１４６）。ステップＳ１４５：ＮＯとき、文字エリア判定部２７は、ステップＳ１４２に処理を移行し、文字認識対象となるブロックを次のブロックに変更して、ステップＳ１４３以降の処理を実施する。
【００９８】
ステップＳ１４６で文字数をカウントした後、そのカウント値が閾値以上であった場合（ステップＳ１４７：ＹＥＳ）、文字エリア判定部２７は、被写体に文字エリアがあると判定する。そしてこの判定により、２Ｄ／３Ｄ切替判定部２５が、二次元撮像モードが最適であると判定して（ステップＳ１５０）、判定動作を終了する。
【００９９】
ステップＳ１４７：ＮＯのときは、ステップＳ１４８に処理を移行し、全ての分割ブロックに対して文字認識が終わっていない場合にはステップＳ１４２に処理を移行し、文字認識対象となるブロックを次のブロックに変更して、ステップＳ１４３以降の処理を実施する。
【０１００】
一方、ステップＳ１４８において、全ての分割ブロックに対して文字認識が終わっていた場合には、文字エリア判定部２７が、被写体に文字エリアがないと判定する。この判定により、２Ｄ／３Ｄ切替判定部２５は、三次元撮像モードが最適であると判定して（ステップＳ１４９）、判定動作を終了する。
【０１０１】
以上のように、遠近差がある被写体であっても、文字エリアが含まれる場合には、二次元撮像モードを設定することで、ユーザの意図に合った最適な撮像モードを設定することができる。
【０１０２】
なお、この変形例では、遠近差の有無と、文字エリアの有無とによって最適な撮像モードを設定するものとしたが、文字エリアの有無だけで最適な撮像モードを設定することも可能である。この場合には、図１４に示したフローチャートにおいて、ステップＳ１４１を削除し、ＡＵＴＯ判定開始後にステップＳ１４２を実施し、ステップＳ１４７：ＹＥＳのときはステップＳ１５０の処理を実施し、ステップＳ１４８で全ての分割ブロックの文字認識が終了していたときはステップＳ１４９の処理を実施して、判定動作を終了すればよい。
【０１０３】
また、単に文字エリアの有無だけでなく、文字エリアの位置、文字エリアの大きさ、文字エリアの数によって判定を行ってもよい。
【０１０４】
文字エリアの位置を判定基準とする場合は、例えば、ステップＳ１４７：ＹＥＳの後に、文字エリアの位置を判定するステップを追加し、文字エリアが被写体の中央位置にある場合には、ステップＳ１５０に移行し、文字エリアが被写体の中央位置にない場合には、ステップＳ１４９に移行するようにすればよい。
【０１０５】
文字エリアの大きさを判定基準とする場合は、例えば、ステップＳ１４７：ＹＥＳの後に、文字エリアの大きさを判定するステップを追加し、文字エリアの大きさが所定値以上の場合には、ステップＳ１５０に移行し、文字エリアの大きさが所定値未満の場合には、ステップＳ１４９に移行するようにすればよい。
【０１０６】
文字エリアの数を判定基準とする場合は、例えば、ステップＳ１４７：ＹＥＳの後に、文字エリアの数を判定するステップを追加し、文字エリアの数が所定値以上の場合には、ステップＳ１５０に移行し、文字エリアの数が所定値未満の場合には、ステップＳ１４９に移行するようにすればよい。
【０１０７】
また、文字エリアの位置、文字エリアの大きさ、文字エリアの数を組み合わせて判定を行ってもよい。このようにすることで、文字エリアを含む被写体を撮影するときでも、その状況に応じて最適なモードで撮像を行うことができる。
【０１０８】
以上説明したように、本明細書には以下の事項が開示されている。
【０１０９】
開示された撮像装置は、二次元撮像モードと、三次元撮像モードと、前記二次元撮像モードと前記三次元撮像モードから最適なものを自動的に選択して設定するオート撮像モードとを有する撮像装置であって、前記オート撮像モード時に、前記オート撮像モードで設定された撮像モードに関わらず、前記二次元撮像モードと前記三次元撮像モードのいずれかを強制的に設定する撮像モード強制設定部を備える。
【０１１０】
この構成により、オートモードで設定された撮像モードが撮影者の意図に反したものであっても、撮像モードを強制的に別のモードに設定することができる。このため、撮影者の意図に合った撮像モードを常に設定することが可能となる。
【０１１１】
開示された撮像装置は、前記オート撮像モード時に設定されている撮像モードを使用者に通知する撮像モード通知部を備える。
【０１１２】
この構成により、撮像装置の使用者は、オート撮像モード時においてどの撮像モードが自動的に設定されているのかを知ることができる。このため、意図に反する撮像モードが設定されているかどうかを容易に確認することができ、撮像モードの切り替え判断を瞬時に行うことができる。
【０１１３】
開示された撮像装置は、前記二次元撮像モードと前記三次元撮像モードのいずれかの設定を指示するためのスイッチを備え、前記撮像モード強制設定部は、前記オート撮像モード時に前記スイッチ操作によって指示された撮像モードを強制的に設定する。
【０１１４】
開示された撮像装置は、前記二次元撮像モードと前記三次元撮像モードのいずれかの設定を指示するためのスイッチを備え、前記撮像モード強制設定部は、前記オート撮像モード時に前記スイッチ操作によって指示された撮像モードを強制的に設定し、前記スイッチを前記撮像モード通知部と兼用する。
【０１１５】
この構成により、撮像装置の構成部材を減らすことができる。
【０１１６】
開示された撮像装置は、被写体に遠近差があるかどうかを判定する遠近差判定部と、前記被写体内において距離が同一となるエリアを抽出し、前記エリアの前記被写体中に占める割合を算出する演算部とを備え、前記オート撮像モード時、前記遠近差がないと判定された場合に前記二次元撮像モードを設定し、前記遠近差があると判定され、かつ、前記割合が閾値以上であった場合に前記二次元撮像モードを設定し、前記遠近差があると判定され、かつ、前記割合が閾値未満であった場合に前記三次元撮像モードを設定する。
【０１１７】
開示された撮像装置は、前記被写体に顔が存在するかどうかを判定する顔判定部を備え、前記遠近差がないと判定された場合、又は、前記遠近差があると判定されかつ前記割合が閾値以上であった場合で、かつ、前記顔が存在していると判定された場合には前記三次元撮像モードを設定し、前記遠近差がないと判定された場合、又は、前記遠近差があると判定されかつ前記割合が閾値以上であった場合で、かつ、前記顔が存在していないと判定された場合には前記二次元撮像モードを設定する。
【０１１８】
この構成により、撮影範囲内の被写体に遠近差がない場合、又は、遠近差を検出できないような被写体であった場合でも、顔の有無によって撮像モードを自動的に設定することができる。
【０１１９】
開示された撮像装置は、被写体に顔が存在するかどうかを判定する顔判定部を備え、前記オート撮像モード時、前記顔が存在していると判定された場合には前記三次元撮像モードを設定し、前記顔が存在していないと判定された場合には前記二次元撮像モードを設定する。
【０１２０】
この構成により、撮影範囲内の被写体に遠近差がない場合、又は、遠近差を検出できないような被写体であった場合でも、顔の有無によって撮像モードを自動的に設定することができる。
【０１２１】
開示された撮像装置は、被写体に遠近差があるかどうかを判定する遠近差判定部と、前記被写体に文字エリアが存在するかどうかを判定する文字エリア判定部とを備え、前記オート撮像モード時、前記遠近差がないと判定された場合に前記二次元撮像モードを設定し、前記遠近差があると判定され、かつ、前記文字エリアがあると判定された場合に前記二次元撮像モードを設定し、前記遠近差があると判定され、かつ、前記文字エリアがないと判定された場合に前記三次元撮像モードを設定する。
【０１２２】
開示された撮像装置は、前記被写体に文字エリアが存在するかどうかを判定する文字エリア判定部を備え、前記オート撮像モード時、前記文字エリアがないと判定された場合に前記三次元撮像モードを設定し、前記文字エリアがあると判定された場合に前記二次元撮像モードを設定する。
【符号の説明】
【０１２３】
１００  デジタルカメラ
２２ｄ  モード切替ダイヤル
２３  撮像モード強制設定スイッチ
【図１】
2011114557.tif 000003
【図２】
2011114557.tif 000004
【図３】
2011114557.tif 000005
【図４】
2011114557.tif 000006
【図５】
2011114557.tif 000007
【図６】
2011114557.tif 000008
【図７】
2011114557.tif 000009
【図８】
2011114557.tif 000010
【図９】
2011114557.tif 000011
【図１０】
2011114557.tif 000012
【図１１】
2011114557.tif 000013
【図１２】
2011114557.tif 000014
【図１３】
2011114557.tif 000015
【図１４】
2011114557.tif 000016